(57)【要約】本発明は、オブジェクトテーブル１３から分析配列への微視的な、分離されたサンプル１５、特に膜で支持された微細解剖標本の輸送のための方法および装置に関し、吸引装置１は、吸引チューブ３および末端膜４を持つナノ吸引手段２および前記末端膜４上へまたは前記末端膜４から前記サンプル１５を吸引または吹き動かすために前記ナノ吸引手段２に連結され得る真空／加圧ユニット；および前記末端膜４上へ前記サンプル１５を吸引するためのサンプル除去位置および前記末端膜４から前記サンプル１５を吹き動かすためのサンプル解放位置に正確に前記ナノ吸引手段２を置くための関連位置決めユニットによって動かされ得る前記ナノ吸引手段２を運ぶためのキャリヤー装置１２を含む。本発明は、さらに、そのような装置を含む微細解剖システムおよびそのような装置に使用されるナノ吸引手段の製造方法に関する。【選択図】図１
2011510311.tif 000002
【特許請求の範囲】
【請求項１】
オブジェクトテーブル１３から分析配列への微視的な、分離されたサンプル１５、特に膜で支持された微細解剖標本への輸送のための装置であって、
吸引チューブ３および末端膜４を持つナノ吸引手段２と、前記末端膜４上へまたは前記末端膜４からそれぞれ前記サンプル１５を吸引するまたは吹き動かすための前記吸引手段２に連結可能な真空／加圧ユニットとを有する吸引装置１；ならびに、
前記末端膜４上へ前記サンプル１５を吸引するためのサンプル除去位置および前記末端膜４から前記サンプル１５を吹き動かすためのサンプル解放位置に正確に前記ナノ吸引手段２を置くための関連位置決めユニットによって動かされ得る前記ナノ吸引手段２を運ぶためのキャリヤー装置１２を有する装置。
【請求項２】
前記ナノ吸引手段２が、カップリングチューブ１０により気密の方法で前記真空／加圧ユニットに連結可能であることを特徴とする請求項１記載の装置。
【請求項３】
前記カップリングチューブ１０が、前記真空／加圧ユニットおよび／または前記カップリングチューブ１０を介して、気密の方法で、異なるナノ吸引手段２を少なくとも容易に手動で連結されるようにモジュラー方式で気密の方法で選択されたナノ吸引手段２の手動接続用の接続装置、例えば、プラグを差し込む（ｐｌｕｇ−ｉｎ）またはクリップ接続を有することを特徴とする請求項２記載の装置。
【請求項４】
前記ナノ吸引手段２の前記吸引チューブ３が、例えば、ホウケイ酸ガラスチューブ等のガラスチューブとして設計されていることを特徴とする請求項１から３のいずれか一項に記載の装置。
【請求項５】
前記吸引チューブ３が、ほぼＬ字形状であり、前記カップリングチューブに接続する端部および前記末端膜に結合する端部を有することを特徴とする請求項１から４のいずれか一項に記載の装置。
【請求項６】
前記吸引チューブ３が、約１．７ｍｍ〜２．０ｍｍの範囲の外径、約０．５ｍｍ〜１．５ｍｍの範囲の内径および約５０ｍｍ〜７０ｍｍの全長を有することを特徴とする請求項１から５のいずれか一項に記載の装置。
【請求項７】
前記吸引チューブ３が、少なくともいくつかの部分、特に前記末端膜に接続される先端領域が、電導性被膜、例えば、厚みが約６０ｎｍの金被膜で被覆されていることを特徴とする請求項１から６のいずれか一項に記載の装置。
【請求項８】
前記末端膜４が、好ましくは、中心に穴８および末端網６を持つ、ディスク形状の支持板５を有し、前記支持板５の一方の側が、前記支持板５中の前記穴８が前記吸引チューブ３中の初め９とほぼ同じ高さであるように前記末端膜に接続された前記吸引チューブ３側に確保され、前記末端網６が、前記吸引チューブ３中の初め９および前記支持板５中の前記穴８を覆うように前記支持板５の他の自由な側に確保されることを特徴とする請求項１から７のいずれか一項に記載の装置。
【請求項９】
前記支持板５が、銅または類似の何かのような電導性材料から作られていることを特徴とする請求項８記載の装置。
【請求項１０】
例えば、伝導性銀ペイントまたは類似の何かを用いることによって、接地目的のために前記支持板５および前記吸引チューブ３の電導性被覆との間に電導性接続があることを特徴とする請求項８または９記載の装置。
【請求項１１】
前記末端網６が、電導性表面を持つ材料から作られていることを特徴とする請求項８から１０のいずれか一項に記載の装置。
【請求項１２】
前記末端網６が、輸送されるための前記サンプル１５の寸法および本質に適合される網の厚みおよび孔径、例えば、約２０μｍの網の厚みおよび約６００ｎｍ〜５μｍの範囲の直径を持つ孔を有することを特徴とする請求項８から１１のいずれか一項に記載の装置。
【請求項１３】
前記末端網６が、生物学的不活性、帯電防止および／またはＵＶＣ耐性に設計されることを特徴とする請求項８から１２のいずれか一項に記載の装置。
【請求項１４】
前記位置決めユニットが、例えば、マイクロメーターステッパモーターを用いることによって、前記キャリヤー装置１２の回転運動および／または並進運動用に設計されることを特徴とする請求項１から１３のいずれか一項に記載の装置。
【請求項１５】
前記装置が、前記末端膜４と輸送されるための前記サンプル１５との間または関連表面間の距離測定用の距離計、例えば、レーザセンサまたは類似物も有することを特徴とする請求項１から１４のいずれか一項に記載の装置。
【請求項１６】
前記装置が、視覚表示および前記輸送過程のモニタリング用の表示ユニットを有することを特徴とする請求項１から１５のいずれか一項に記載の装置。
【請求項１７】
前記装置が、データ交換、制御および調整目的等用の前記キャリヤー装置１２、前記位置決めユニット、前記真空／加圧ユニット、前記距離計および／または前記表示ユニットに接続されたソフトウェアと合わせて制御手段を有することを特徴とする請求項１から１６のいずれか一項に記載の装置。
【請求項１８】
前記装置が、自律的で既存のシステム、例えば、微細解剖システムにモジュール方式で統合され得るように設計されることを特徴とする請求項１から１７のいずれか一項に記載の装置。
【請求項１９】
請求項１から１８のいずれか一項に記載の装置を含む微細解剖システム。
【請求項２０】
前記微細解剖システムは、前記装置が確保され得る顕微鏡ユニットを有することを特徴とする請求項１９記載の微細解剖システム。
【請求項２１】
前記装置が、前記キャリヤー装置１２が顕微鏡ユニット照合システムに関して定義された方式で動かされ得るように前記顕微鏡ユニットに確保され得ることを特徴とする請求項２０記載の微細解剖システム。
【請求項２２】
オブジェクトテーブル１３から分析配列への微視的な、分離されたサンプル１５、特に膜で支持された微細解剖標本への輸送方法であって、
吸引チューブ３および末端膜３を持つように設計され、関連位置決めユニットによるキャリヤー装置１２の移動によりサンプル除去位置で前記キャリヤー装置１２に確保されるナノ吸引手段２の正確な位置決め工程；
前記ナノ吸引装置２に連結された真空／加圧ユニットによる前記末端膜４上への前記サンプル１５の吸引工程；
前記関連位置決めユニットによってサンプル除去位置に前記ナノ吸引手段２を正確に位置決めするための前記キャリヤー装置１２の運動工程；および
前記真空／加圧ユニットによって前記末端膜４から前記サンプルを吹き動かす工程を持つ方法。
【請求項２３】
距離計、例えば、レーザセンサによって、前記末端膜４と輸送されるための前記サンプル１５との間の距離または関連表面間の距離が絶え間なく測定され、実際の距離値がセット距離値と一致するまで制御ユニットによって調整される前記キャリヤー装置１２の高さ位置が、セット値と比較されることを特徴とする請求項２２記載の方法。
【請求項２４】
適当な真空が、前記真空／加圧ユニットによって全輸送過程の間中維持されることを特徴とする請求項２２または２３記載の方法。
【請求項２５】
短い圧力パルスが、前記サンプル１５が吹き動かされるまで前記真空／加圧ユニットによって発生させられることを特徴とする請求項２２から２４のいずれか一項に記載の方法。
【請求項２６】
オブジェクトテーブル１３から分析配列への微視的な、分離されたサンプル１５、特に膜で支持された微細解剖標本の輸送装置に用いられるナノ吸引手段２の製造方法であって、
ガラスチューブ３を準備する工程；
ほぼＬ字形状に前記ガラスチューブ３を再形成する工程；
前記ガラスチューブ３の少なくともいくつかの部分を電導性被膜で気相めっきする工程；
ディスク形状の、穴８を有する支持板５の一端を、前記支持板５中の前記穴８が前記ガラスチューブ３中の初め９とほぼ同じ高さになるように前記ガラスチューブ３の自由端に取り付ける工程；および
前記支持板５の反対側に末端網６を、前記末端網６が前記ガラスチューブ３中の初め９および前記支持板５中の前記穴８を覆うように取り付ける工程を持つ方法。
【請求項２７】
前記ガラスチューブ３が、ホウケイ酸ガラスから作られることを特徴とする請求項２６記載の方法。
【請求項２８】
前記ガラスチューブ３が、約１．７ｍｍ〜２．０ｍｍの範囲の外径、約０．５ｍｍ〜１．５ｍｍの範囲の内径および約５０ｍｍ〜７０ｍｍの全長を持つように設計されることを特徴とする請求項２６または２７記載の方法。
【請求項２９】
前記ガラスチューブ３が、少なくともいくつかの部分が、電導性被膜、例えば、約６０ｎｍの厚みの金被膜を持つ気相めっきで被覆されていることを特徴とする請求項２６から２８のいずれか一項に記載の方法。
【請求項３０】
前記支持板５が、電導性材料、例えば、銅から作られることを特徴とする請求項２６から２９のいずれか一項に記載の方法。
【請求項３１】
前記支持板５が、ＵＶ硬化型接着剤で前記ガラスチューブ３に取り付けられることを特徴とする請求項２６から３０のいずれか一項に記載の方法。
【請求項３２】
前記Ｌ字形状のガラスチューブ３が、長手部分および短手部分を有し、前記支持板５が、前記短手部分の端に取り付けられることを特徴とする請求項２６から３１のいずれか一項に記載の方法。
【請求項３３】
前記ガラスチューブ３の自由端に前記支持板５を取り付ける工程が、前記支持板５上に正確に前記ガラスチューブ３の中心を置き、それを前記ガラスチューブ３の前記接着剤で被覆された端が前記支持板５と接触するまでマイクロメカニカルに下げることを含むことを特徴とする請求項２６から３２のいずれか一項に記載の方法。
【請求項３４】
前記ＵＶ硬化型接着剤が、前記ガラスチューブ３が前記支持板５に接合した後、ＵＶランプによって硬化されることを特徴とする請求項３１から３３のいずれか一項に記載の方法。
【請求項３５】
前記支持板５の反対側に前記末端網６を取り付ける段階が、前記支持板５中の前記穴８の周りの前記支持板５の反対側に、ＵＶ硬化型接着剤、例えば、接着剤の０．５ｍｍ幅の帯が適用されることを含むことを特徴とする請求項２６から３４のいずれか一項に記載の方法。
【請求項３６】
前記支持板５の反対側に前記末端網６を取り付ける段階が、前記末端網６上に前記取り付けられた支持板５とともにマイクロメカニカルに前記ガラスチューブを下げ、前記適用された接着剤が、前記支持板５および前記末端網６が接合した後、ＵＶランプの助けで硬化されることを含むことを特徴とする請求項３５記載の方法。
【請求項３７】
前記末端網６が、電導性材料、特に電導性表面を持つ材料から作られることを特徴とする請求項２６から３６のいずれか一項に記載の方法。
【請求項３８】
電導性接続が、適当な伝導性銀ペイントまたは類似の何かを用いることによって、接地目的のために前記支持板５および前記ガラスチューブ３上の前記電導性被覆との間に提供されることを特徴とする請求項２６から３７のいずれか一項に記載の方法。
【発明の詳細な説明】
【技術分野】
【０００１】
本発明は、オブジェクトテーブルから分析配列（ａｎａｌｙｓｉｓ  ａｒｒａｎｇｅｍｅｎｔ）への微視的な、分離されたサンプル、特に膜で支持された微細解剖標本（ｍｅｍｂｒａｎｅ−ｓｕｐｐｏｒｔｅｄ  ｍｉｃｒｏ−ｄｉｓｓｅｃｔｅｄ  ｓｐｅｃｉｍｅｎｓ）への輸送のための方法および装置、そのような装置を含む微細解剖システムおよびそのような装置用のナノ吸引手段の製造方法に関する。
【０００２】
それは、任意の微視的な、分離されたサンプルに用いられ得るが、本発明および基礎を成す問題は、膜で支持された微細解剖標本、特にレーザで支持された微細解剖（ｌａｓｅｒ−ｓｕｐｐｏｒｔｅｄ  ｍｉｃｒｏ−ｄｉｓｓｅｃｔｉｏｎ）によって分離された微細解剖標本を参照してより詳細に説明される。
【背景技術】
【０００３】
レーザで支持された微細解剖は、意図的な組織切片からの最小領域のまさに個別細胞までの分離を可能にする。また、無接触のレーザ操作は、個別細胞コンパートメント（ｉｎｄｉｖｉｄｕａｌ  ｃｅｌｌ  ｃｏｍｐａｒｔｍｅｎｔｓ）、例えば、染色体および染色体の断片の微細解剖を保証する。ＰＣＲ、クローン技術およびレーザ微細解剖の組み合わせにより、分子細胞遺伝学のための位置特異的な染色体サンプル（ｒｅｇｉｏｎ−ｓｐｅｃｉｆｉｃ  ｃｈｒｏｍｏｓｏｍａｌ  ｓａｍｐｌｅｓ）の開発が可能である。しかしながら、これらのレーザ微細解剖方法において、前記断片は可能な限り鋭く引き出されたガラス針で集められ、ガラス針微細解剖と同類である。レーザ微細解剖の開発は、レーザ捕獲（ｌａｓｅｒ  ｃａｐｔｕｒｅ）微細解剖の導入につながっている。この方法において、検査するために前記細胞に合成膜が適用される。熱を加えることにより局所的に前記フィルムを溶かすことで、前記組織から分離すべき前記細胞が取り除かれる。この方法は、特に約３０μｍの大きさまで細胞群（ｃｅｌｌ  ｇｒｏｕｐｓ）を分離するのに適当である。
【０００４】
レーザ圧力分離の原則（Ｔｈｅ  ｐｒｉｎｃｉｐｌｅ  ｏｆ  ｌａｓｅｒ  ｐｒｅｓｓｕｒｅ  ｉｓｏｌａｔｉｏｎ）は、個別細胞および細胞群を分離するための異なった方法である。この手法において、数ワットの出力ピークを持つパルスＵＶレーザは、下から分離するように組織の前記領域に向けられる。レーザ捕獲微細解剖と異なって、前記組織は、約１〜６μｍの範囲の厚みの超薄層支持膜に置かれる。細胞または細胞群は、前記ＵＶレーザを使用することで意図的に分離でき、さらに先の段階において、これらは、光圧の助けによって上向きに収集装置に分離され、それらを他の生化学的方法にアクセスしやすくする。染色体に特有の彩色サンプル（ｃｈｒｏｍｏｓｏｍｅ−ｓｐｅｃｉｆｉｃ  ｐａｉｎｔ  ｓａｍｐｌｅｓ）を開発する染色体の分離は、この方法を使用して導入されている。
【０００５】
しかしながら、既知の上記方法において、前記分離されたサンプルの輸送を保証することができないという事実は不都合であることが突き止められており、且つ、これらの方法は、輸送された前記サンプルの損害または汚染を引き起こすかもしれない。加えて、前記方法において、前記輸送過程全体の光学モニタリングは、仮にあったとしても大きな困難とともにしか可能ではない。さらに、前記サンプルの定義された採取（ｐｉｃｋｉｎｇ  ｕｐ）および配置（ｓｅｔｔｉｎｇ  ｄｏｗｎ）は、使用される輸送の手段のために保証されない。
【０００６】
例えば、組織粒子、細胞および細胞成分、タンパク質および運動性の物質（ｋｉｎｅｔｉｃ  ｍａｔｅｒｉａｌ）の損害は、上記方法における捕捉過程において起こるかもしれない。ガラス針微細解剖において、この方法の前記本質のために前記サンプルの損害をもたらし、前記サンプルは、不利に削り取られる。
【発明の概要】
【発明が解決しようとする課題】
【０００７】
その結果、上記の、既知の方法の見地から、本発明の目的は、上記の損失を排除すること、およびより慎重に、且つより多くの定義された方法で、対応するサンプルがオブジェクトテーブルから分析配列へと輸送されることを保証するためのそのような方法で、微視的な、分離されたサンプルを輸送するための装置および方法を特に改良することである。
【課題を解決するための手段】
【０００８】
この目的は、本発明に従って、請求項１の特徴を持つ装置、請求項１９の特徴を持つ微細解剖システム、請求項２２の特徴を持つ方法および請求項２６の特徴を持つナノ吸引手段の製造方法により達成される。
【０００９】
本発明の基になった概念は、微視的な、分離されたサンプルを輸送するための吸引装置（ｓｕｃｔｉｏｎ  ａｐｐａｒａｔｕｓ）の使用を伴い、この吸引装置は、吸引チューブ（ｓｕｃｔｉｏｎ  ｔｕｂｅ）および末端膜（ｔｅｒｍｉｎａｌ  ｍｅｍｂｒａｎｅ）を持つナノ吸引手段および前記末端膜上へまたは前記末端膜から前記サンプルを吸引するまたは吹き動かすために前記ナノ吸引手段に連結可能な真空／加圧ユニットを有し；前記ナノ吸引手段を運ぶためのキャリヤー装置が提供され、これは、前記末端膜上へ前記サンプルを吸引するためのサンプル除去位置（ｓａｍｐｌｅ  ｒｅｍｏｖａｌ  ｐｏｓｉｔｉｏｎ）および前記末端膜から前記サンプルを吹き動かすためのサンプル解放位置（ｓａｍｐｌｅ  ｒｅｌｅａｓｅ  ｐｏｓｉｔｏｎ）に正確に前記ナノ吸引手段を置くための関連位置決めユニット（ａｓｓｏｃｉａｔｅｄ  ｐｏｓｉｔｉｏｎｉｎｇ  ｕｎｉｔ）によって調整可能とされている。
【発明の効果】
【００１０】
本発明は、その結果、前記末端膜上への前記末端膜からの前記サンプルの慎重な吸引または吹き動かしによる前記分離されたサンプルの損害の防止および前記関連位置決めユニットと連携した前記キャリヤー装置によって正確で、定義されおよび制御可能な前記サンプルの輸送の単純な手段を保証する前記既知の方法を超えた利点を有する。
【図面の簡単な説明】
【００１１】
【図１】図１は、微細解剖システムに組み込まれた本発明の好ましい実施形態に従った輸送装置の概略部分投影図を示す。
【図２】図２は、本発明の好ましい実施形態に従った前記ナノ吸引手段の最先端の拡大断面図を示す。
【図３】図３は、本発明の好ましい実施形態に従った前記ナノ吸引手段用の支持板の平面図を示す。
【図４】図４は、本発明の好ましい実施形態に従った支持板および末端網（ｔｅｒｍｉｎａｌ  ｍｅｓｈ）を含む末端膜の概略図を示す。
【図５】図５は、図２のＡ−Ａ方向から見た断面図を示す。
【発明を実施するための形態】
【００１２】
そのような発明に使用されるように、サブクレームにおいて、好ましい実施形態および前記微視的な、分離されたサンプルの輸送のための装置および方法、そのような装置を含む微細解剖システムおよび前記ナノ吸引手段の製造方法の改良が見出される。
【００１３】
抽出ポイント（ｅｘｔｒａｃｔｉｏｎ  ｐｏｉｎｔ）は、好ましくは、ジョイスティックを介したモーター制御による顕微鏡ユニットの観測下またはデジタル位置輸送（ｄｉｇｉｔａｌ  ｐｏｓｉｔｏｎ  ｔｒａｎｓｆｅｒ）によって自動的に水平に調整される。距離計（ｄｉｓｔａｎｃｅ  ｍｅｔｅｒ）または機械的手段によって確保された前記ナノ吸引手段へのオートフォーカスは、前記抽出ポイント上に予め定義された吸引レベルへμｍ内で正確に前記ナノ吸引手段を下げることを可能にする。前記距離計は、表面からの実際の距離を絶え間なく測定し、これを予め定義されたセット距離と比較する。それが下ろされるに従って前記ナノ吸引手段が前記予め定義されたセット距離に達したとき、収束過程が止まり、吸引過程が作動する。真空は、前記末端膜へ前記サンプルを吸引し、それをそこに保持する。
【００１４】
つぎに、前記ナノ吸引手段は、前記位置決めユニットによって前記解放位置に置かれる。好ましくは、真空は、前記位置決め過程全体の間中残るべきである。前記ナノ吸引手段がその解放位置に達するとき、それは、上述のように前記距離計によって予め定義されたセット位置に下ろされる。加圧は、前記抽出されたサンプルを前記分析エリア内に吹き動かすためにこの位置において適用される。
【００１５】
本発明は、実施形態の助けおよび添付図面の参照により、以下により詳細に説明される。
【００１６】
別の方法で指定しない限り、図面において、同じ部材または同じ機能を持つ部材には同じ符号を付している。
【００１７】
図１は、特に、レーザ微細解剖後の、分離された組織切片または細胞（これ以降サンプル１５と言う）を輸送するための本発明の好ましい実施形態に従った微細解剖システムに組み込まれた輸送装置の模式部分投影図を示す。好ましくは、前記輸送装置は、自律的で既存のシステムに組み込み可能に設計されており、例えば、前記微細解剖システムの既存の顕微鏡ユニット１４に固定される。
【００１８】
この実施形態によると、前記輸送装置は、図１に示す前記サンプル除去位置においてオブジェクトテーブル１３から前記サンプル１５を吸引するためまたは図示しないサンプル解放位置において前記サンプル１５を吹き動かすために用いられる吸引装置１を有する。前記オブジェクトテーブル１３は、例えば、関連する顕微鏡ユニットの顕微鏡プラットフォームとして設計されても、支持膜でオブジェクトキャリヤーを固定できる独立の顕微鏡プラットフォームとして設計されてもよい。このとき、レーザ微細解剖において前記サンプル１５は通常支持膜上に位置しており、前記オブジェクトテーブル１３から図示しない分析配列へと前記輸送装置によってこの膜とともに輸送されることに注意すべきである。
【００１９】
図１に模式的に示す前記吸引装置１は、例えば、ホウケイ酸ガラスチューブ３および末端膜４を含んでもよいナノ吸引手段２を有する。この実施形態によると、図１に示すとおり、前記ガラスチューブ３は、長手部分および短手部分を有するＬ字形状である。前記長手部分は、以下により詳細に述べるとおり、カップリングチューブ１０を有する気密接続を提供する。
【００２０】
前記ガラスチューブ３の前記短手部分は、その自由前端（ｆｒｅｅ  ｆｒｏｎｔ  ｅｎｄ）に末端膜４を有する。前記ナノ吸引手段２のこの先端は、図２の拡大断面図に示されている。前記ガラスチューブ３は、例えば、約１．７ｍｍ〜２．０ｍｍの範囲の外径、約０．５ｍｍ〜１．５ｍｍの範囲の内径および約５０ｍｍ〜７０ｍｍの両部分の長さを含む全長を有する。
【００２１】
前記吸引チューブまたはガラスチューブ３は、また、少なくともいくつかの部分、特に図２に示す先端領域が、電導性被膜、例えば、厚みが約６０ｎｍであってもよい電導性金被膜を持つ気相めっきがされている。
【００２２】
図２に示すように、前記末端膜４は、支持板５および末端網６を含む。前記支持板５は、分離して図３の拡大図において示され、例えば、中心に穴８を有するディスクとして設計されてもよい。好ましくは、前記支持板５は、銅または類似の何かのような電導性材料から作られる。図２を参照して、好ましくは、前記支持板５は、前記穴８が前記吸引チューブ３中の初め９と同じ高さであるように前記ナノ吸引手段２の先端部分に固定される。しかしながら、全吸引力が前記穴８を通して有利に指示されるべきであるが、他の実施形態が選択されることも考えられる。
【００２３】
前記末端膜４は、電導性材料または電導性表面を有する材料から作られた末端網６も有する。図４は、支持板５および末端網６を含む前記末端膜４の底面図を示す。前記末端網６は、例えば、丸いディスク形状であってもよい。前記ナノ吸引手段、すなわち前記吸引チューブ３および前記支持板５および末端網６の寸法は、関連アプリケーションの機能として変えられてもよい。特に、前記網の厚みおよび前記末端網６の孔径は、輸送される前記関連サンプル１５に適切に調整されるべきである。例えば、約２０μｍの網の厚みおよび約６０ｎｍ〜５０μｍの直径を持つ孔が考えられる。
【００２４】
好ましくは、図２に示すように、前記末端網６は、前記網が前記支持板５中の前記穴８および前記吸引チューブ３の初め９を完全に覆うように前記支持板５上に置かれる。前記全体構造は、吸気が密封されなかったいかなる環境でも通過するのではなく、直接前記網６を通過するように設計されている。
【００２５】
図５は、図２のＡ−Ａ方向から見た断面図を示す。前記ナノ吸引手段２上のいかなる帯電も前記サンプル１５を保護するために防止されるべきである。図２とともに図５に示すように、伝導性銀ペイントまたは類似の何かの形で、例えば、前記支持板５と前記吸引チューブ３上の前記電導性被膜との間の電気的接続を作り出すために電気的接触ポイント７が提供される。これは、例えば、あるサンプルまたは前記末端膜４の材料によって引き起こされるかもしれない帯電を、前記吸引チューブ３または前記吸引チューブ３に結びついたアース線を介して、有利にそらすことを意図している。
【００２６】
明確性のために前記輸送装置を概略的および部分的に示すのみであるが、前記輸送装置の更なる特徴を述べるために再度図１を参照する。
【００２７】
例えば、前記吸引装置１は、上述のように、前記吸引チューブ３の前記長手部分の自由端を挿入し、気密の方法で固定することができ、且つそれを容易に取り替えられるようなカップリングチューブ１０を有する。好ましくは、前記カップリングチューブは、交換目的のために、前記ナノ吸引手段２を前記吸引装置１へ接続し、前記吸引装置１から取り外すことのできるクリップまたは回転締め具を有する。例えば、気密の方法で前記カップリングチューブ１０内の前記吸引チューブ３の関連端をつかみ、または、この締め具の回転によって前記吸引チューブ３を取り除くために前記カップリングチューブ１０からこの端を解放する対応するゴムシールを持つ回転締め具が提供される。
【００２８】
前記カップリングチューブ１０の他端に、図示しない関連する真空／加圧ユニットを接続するための接続１１がある。この場合において、対応する適応できるクリップまたは回転締め具を提供し得ることも考えられる。正確に正しいサイズのテフロン（登録商標）ホースを前記カップリングチューブ１０の関連端に置いて、さらにシリコンでシールすることも考えられる。
【００２９】
前記真空／加圧ユニットは、例えば、前記末端網６上へ前記サンプル１５を吸引するために必要とされる真空または前記末端網６から前記サンプル１５を吹き動かすために必要とされる加圧を供給する圧縮空気ピコポンプ（ｐｎｅｕｍａｔｉｃ  ｐｉｃｏ−ｐｕｍｐ）として設計されてもよい。例えば、それぞれ前記サンプルを吸引するまたは吹き動かすために、約０〜０．７５ｋＰａの低圧だけでなく、例えば４１３ｋＰａの高圧も正確にセット可能である鋭敏ＰＬＩ−１００圧力制御ユニット（ｓｅｎｓｉｔｉｖｅ  ＰＬＩ−１００  ｐｒｅｓｓｕｒｅ  ｃｏｎｔｒｏｌ  ｕｎｉｔ）が用いられる。好ましくは、前記真空／加圧ユニットの吸引力または吹き動かすパルスの強度は、関連するアプリケーションに従って予め決定され、調整される。前記分析配列上に提供された液滴中に、この滴を分散することなく、前記集められたサンプルを解放するために前記加圧持続時間を数ミリ秒（ｓｅｖｅｒａｌ  ｍｓ）に調整できるならば有利である。
【００３０】
図１に示すように、前記輸送装置は、また、少なくとも前記カップリングチューブ１０および結果として前記吸引装置１の前記ナノ吸引手段２に固定されるキャリヤー装置１２も含む。前記キャリヤー装置１２は、図示しない関連位置決め手段に接続される。好ましくは、前記位置決めユニットの自由の４つの度合いは、上述のとおり、３つの並進運動（ｘ、ｙおよびｚ方向）、および水平面で前記キャリヤー装置１２を旋回させる回転運動で前記キャリヤー装置を動かすために提供される。例えば、前記キャリヤー装置１２および結果として前記ナノ吸引手段２を正確にμｍ範囲内で置くことができるマイクロメーターステッパモーター（ｍｉｃｒｏｍｅｔｅｒ  ｓｔｅｐｐｅｒ  ｍｏｔｏｒ）が使用される。前記輸送装置が関連する顕微鏡ユニット１４に取付けられているなら、これは、前記オブジェクトテーブルしか動かすことができないことに応じて、前記キャリヤー装置１２が所定の位置に固定されるために前記顕微鏡ユニット１４照合システム内で動かされ、前記キャリヤー装置１２が旋回されるとき前記顕微鏡ユニット１４のレンズシステムまたはレーザシステム上で前記ナノ吸引手段２の正確な位置決めを保証することを意味する。これは、非常に小さなサンプルでさえ、前記関連サンプルの最大の精度と迅速な抽出を保証する。全体の調整運動は、対応するソフトウェアおよび制御ユニットによって実行される。
【００３１】
加えて、前記輸送装置は、必要ならば、図面の明確性のために図示しない付加部材を有してもよい。例えば、光学モニタリングおよび前記輸送過程の表示のために表示ユニットが提供される。
【００３２】
前記表示ユニットは、例えば、フレキシブルなＡＰＩインタフェースを持つＣＣＤカメラで構成されてもよい。前記末端膜４と取り除かれるべき前記サンプル１５との間の距離または前記抽出されたサンプル１５が置かれる分析配列からの距離をオンラインで測定する距離計、例えば、適切なレーザセンサも提供される。例えば、前記関連表面間の１００μｍと言うセット距離を自動的に調整する自動距離制御用のレーザセンサとしてＬＴＡ−０２レーザセンサオートフォーカスユニット（ＬＴＡ−０２  ｌａｓｅｒ  ｓｅｎｓｏｒ  ａｕｔｏｆｏｃｕｓ  ｕｎｉｔ）を用いてもよい。このレーザセンサは、上記マイクロメーターステッパモーターによって機械的に調整されるために有利に設計されてもよい。
【００３３】
上記部材のリストは、有限であると、および、専門家が前記関連するアプリケーションにおける前記輸送装置に組み込み可能な付加部材としてよく意識するであろうとみなすべきではない。さらに、専門家は、上記部材が、例えば、関連するジョイスティックおよび対応するモニター上に表示するための手段によって、前記共有された制御ユニットおよび前記オブジェクトテーブル１３から関連する分析配列への前記関連サンプル１５のユーザフレンドリーな輸送を確実にするためのような対応するソフトウェアに接続可能であることをよく意識するであろう。
【００３４】
上述のとおり、微細解剖システム中に前記輸送装置が組み込まれることが好ましい。この場合において、自律的システムとして設計された前記輸送装置を、共通参照システムを提供するためのように、既存の顕微鏡ユニット１４に固定することは有利である。これは、例えば、前記キャリヤー装置１２の回転旋回運動たけによって達成される正確な位置決めとして、前記顕微鏡ユニット１４のレンズおよび／またはレーザシステム上に前記ナノ吸引手段２を置くことを極めて容易にする。この場合において、前記関連する距離計によって前記ナノ吸引手段２を下げることおよび前記オブジェクトテーブル１３および微調整の確実のために水平に前記サンプル１５を動かすことだけが必要である。
【００３５】
前記輸送装置が基本的に独立で作動し結果として前記その後の分析ステージから自律的で結果的にモジュラー方式で既存のシステムに組み込み可能であれば有利である。これは、科学的用法のかなりの可能性を作り出すだけでなく、この技術のインダストリアル・マーケティングのための更なる可能性も作り出す。
【００３６】
ナノ吸引手段２の製造方法の好ましい実施形態は以下にさらに詳細に説明され、このナノ吸引手段は、このサンプルの損害および汚染を導くことなく、サンプル１５の正確な輸送を確実にする際に極めて重要な役割を演じる。
【００３７】
約１．７ｍｍ〜２．０ｍｍの範囲の外径および約０．５ｍｍ〜１．５ｍｍの範囲の内径を持つホウケイ酸ガラスチューブ３は、図１に示すように、好ましくは、一つの長手部分および一つの短手部分を有する前記ガラスチューブ３のような対応する装置によってＬ字形状に形成される。このように曲げられた前記ガラスチューブ３は、例えば、予め定義された領域、好ましくは前記短手部分の先端に、厚み６０ｎｍの金被膜を持つ気相めっきがされる。この金被膜は、前記ガラスチューブ３の前記対応する表面が電導性であることを意味するが、前記ガラスチューブ３のありのままの特性を変更しない。
【００３８】
前記ガラスチューブ３の前記短手部分の前記端は、好ましくは、ＵＶ硬化型接着剤を用いて被覆される。前記ガラスチューブ３は前記支持板５の正確な中心に置かれて、前記ガラスチューブ３の前記接着剤で被覆された端が前記支持板５に接触するまでマイクロメカニカルに（ｍｉｃｒｏｍｅｃｈａｎｉｃａｌｌｙ）下げられる。前記ＵＶ接着剤は、ＵＶランプを用いて硬化され、前記支持板５と前記ガラスチューブ３との間の永久接続をもたらす。
【００３９】
接着剤、例えば、好ましくはＵＶ硬化型接着剤の０．５ｍｍ幅の帯が、前記支持板５の前記穴８の周りの前記支持板５の自由な下側に適用される。つぎに、前記ガラスチューブ３が、先の取付けられた支持板５と共に、前記末端網６上にマイクロメカニカルに下ろされ、前記適用された接着剤が、前記支持板５および前記末端網６が接合した後にＵＶランプによって再度硬化される。
【００４０】
最後に、例えば、反対部分への伝導性銀ペイントの二滴の適用によって達成される前記支持板５と前記ガラスチューブ３上の前記伝導性表面または前記電導性被膜気相めっきとの間の電導性接続が確立される。
【００４１】
好ましくは、前記輸送装置は異なるナノ吸引手段２のセットを有し、前記個々のナノ吸引手段２は異なる末端膜４または末端網６を有する。この場合において、それぞれの場合において輸送されるおよび前記吸引装置および結果として前記輸送装置に組み込むための前記カップリングチューブ１０へ気密の方法で手動で接続されるための前記サンプル１５の機能として適切なナノ吸引手段２が選択された結果として、それの他の特性が異なってもよいように、前記末端網６の寸法、材料、孔径および孔構成は、異なってもよい。結果として、ユーザーは、前記既存のセットから前記適切なナノ吸引手段２を簡単に手動で選択でき、それをそれぞれの場合において輸送されるための前記サンプル１５の機能として前記輸送装置に適合できる。これは、いかに破損したナノ吸引手段も非常に簡単に交換できるという利点も有する。
【００４２】
本発明の好ましい実施形態に従ったオブジェクトテーブル１３から分析配列へのサンプル１５の輸送方法を、特に図１を参照して再度以下により詳細に述べる。この場合において、それは、前記輸送装置が顕微鏡ユニット１４に固定され、サンプルが関連する微細解剖システムに使用するレーザ微細解剖手段によって分離される一例と考えられる。
【００４３】
サンプル標本は、まず前記オブジェクトテーブル１３の関連するガラス板上に置かれ、前記顕微鏡ユニット１４中のレンズシステムまたはレーザシステムによって位置決めされる。つぎに、前記サンプル標本の一部が、例えば、輸送されるための前記サンプル１５の分離のために、レーザ微細解剖手段によって切り取られる。つぎに、前記ナノ吸引手段２が、前記位置決めユニットを介した前記キャリヤー装置１２の移動によって前記サンプル１５または前記顕微鏡ユニット１４の前記レンズシステム上で水平面で旋回され、必要であれば、その高さが前記関連する距離計によって自動的にまたは手動で調整される。
【００４４】
つぎに、前記分離されたサンプル１５が、前記真空／加圧ユニットで低圧、例えば０．７５ｋＰａより低い圧力にセットすることによって前記オブジェクトテーブル１３から前記ナノ吸引手段２の前記末端網６上へと吸引される。つぎに、前記キャリヤー装置１２が、前記吸引圧力が維持されている間に前記既存の位置決め装置によって正確に前記オブジェクトテーブル１３から前記関連する分析配列へと動かされる。
【００４５】
例えば、小さな液滴が、前記サンプル１５の捕獲のために前記輸送されたサンプル１５の分析用の前記分析配列に提供されてもよい。つぎに、前記キャリヤー装置１２は、予め決められた距離、例えば前記滴の表面の１００μｍ上に再度下ろされ、前記サンプル１５が高圧の短いパルス、例えば、２ミリ秒（２ｍｓ）間の４１３ｋＰａの圧力への前記真空／加圧ユニットの変更によって前記滴上に慎重かつ正確に吹き動かされる。
【００４６】
これは、前記分離されたサンプル１５をさらなる分析用の反応容器中に正確かつ慎重に輸送することを可能にする。
【００４７】
上述のとおり、好ましくは、前記ナノ吸引手段２は、前記吸引または前記吹き動かし過程の間前記サンプル表面または前記滴の表面から約１００μｍの距離に移動される。これは、例えば、ＬＴＡ−０２レーザセンサに組み込むことによって保証されてもよい。前記ナノ吸引手段２が前記対応する表面に接近するとき、前記レーザセンサは、絶えず前記表面への前記距離を測定する。つぎに、前記セットおよび実際の距離の間のこの差が前記制御ユニットに伝達され、前記焦点方向における前記ナノ吸引手段２または前記キャリヤー装置１２の前記運動に反映される。前記差が０より大きければ、前記運動は続く。前記セット距離が前記実際の距離に一致したならば、前記ナノ吸引手段２の焦点運動は止まり、前記吸引または拭き動かし過程がはじめられる。
【００４８】
本発明は、好ましい実施形態によって述べられたが、それはこれらの実施形態に限定されず、複数の方法で変更されてもよい。特に、上記例で与えられた部材の寸法、材料および特性は、前記関係するアプリケーションに従って変更されてもよい。主要因は、キャリヤー装置の特に水平方向の運動によって、特定の位置に正確に位置決めされ得る対応する吸引装置によって前記分離されたサンプルが輸送されることのみである。
【００４９】
このように、本発明は、サンプルを視覚手段によってモニターされ得る慎重かつ正確で再現可能な方法で輸送可能で、対応するシステムが自律的で既存システムに組み込み可能に設計されるという利点を有する。
【符号の説明】
【００５０】
１    吸引装置
２    ナノ吸引手段
３    吸引チューブ
４    末端膜
５    支持板
６    末端網
７    接続ガイド
８    穴
９    初め
１０  カップリングチューブ
１１  真空／加圧ユニット用接続
１２  キャリヤー装置
１３  オブジェクトテーブル
１４  顕微鏡ユニット
１５  サンプル
【図１】
2011510311.tif 000003
【図２】
2011510311.tif 000004
【図３】
2011510311.tif 000005
【図４】
2011510311.tif 000006
【図５】
2011510311.tif 000007
【国際調査報告】
2011510311.tif 000008
2011510311.tif 000009
2011510311.tif 000010
2011510311.tif 000011
2011510311.tif 000012
2011510311.tif 000013